(57)【要約】【課題】  着信を確実に受け付けることができるとともに、周囲の人に迷惑をかけることなくバッテリの電力消費を確実に抑制することができるようにする。【解決手段】  制御部９により、人感センサ８によって人体が検出されないときのユーザ不在モードでは、少なくとも着信があると、メモリ５に、少なくとも相手の電話番号を記憶させるが、表示部３の駆動は行わないようにし、着信があった後に、人感センサ８により人体が検出されると、着信通知ランプ４のみを点滅又は点灯させて着信があったことを知らせ、操作キー７の操作を受け付けてから表示部３を駆動させるとともに、着信通知ランプ４の点滅又は点灯を停止させるように制御する。【選択図】  図１
2006217487.tif 000002
【特許請求の範囲】
【請求項１】
バッテリにより駆動する携帯通信端末であって、
操作キーと、
各種情報を可視表示する表示手段と、
着信があったことを点滅又は点灯によって知らせる着信通知手段と、
着信があった際に、少なくとも相手の電話番号を記憶する記憶手段と、
人体が近くに存在するか否かを検出する人感センサと、
待ち受け状態にあるとき、前記人感センサにより前記人体が検出されたときの通常モードあるいは前記人体が検出されないときのユーザ不在モードで各部の動作を制御する制御手段とを備え、
前記通常モードでは、少なくとも前記着信があると、前記記憶手段に、前記少なくとも相手の電話番号を記憶させるとともに、前記表示手段を駆動して着信有りや前記記憶手段に記憶された前記少なくとも相手の電話番号を表示させるように制御し、
前記ユーザ不在モードでは、少なくとも着信があると、前記記憶手段に、前記少なくとも相手の電話番号を記憶させるが、前記表示手段の駆動は行わないようにし、前記着信があった後に、前記人感センサにより前記人体が検出されると、前記着信通知手段のみを点滅又は点灯させて着信があったことを知らせ、前記操作キーの操作を受け付けてから前記表示手段を駆動させるとともに、前記着信通知手段の点滅又は点灯を停止させるように制御する
ことを特徴とする携帯通信端末。
【請求項２】
前記着信を振動によって知らせるバイブレータを備え、
前記通常モードでは、少なくとも前記着信があると、少なくとも前記表示手段及び前記バイブレータを駆動させるように制御し、
前記ユーザ不在モードでは、少なくとも前記着信があると、前記表示手段及び前記バイブレータを駆動させないようにし、前記着信があった後に、前記人感センサにより人体が検出されると、前記バイブレータを駆動可能となるように制御する
ことを特徴とする請求項１に記載の携帯用通信端末。
【請求項３】
前記着信を音で知らせる着信報知手段を備え、
前記通常モードでは、少なくとも前記着信があると、少なくとも前記表示手段及び前記着信報知手段を駆動させるように制御し、
前記ユーザ不在モードでは、少なくとも前記着信があると、前記表示手段及び前記着信報知手段を駆動させないようにし、前記着信があった後に、前記人感センサにより人体が検出されると、前記着信報知手段を駆動可能となるように制御する
ことを特徴とする請求項１又は２に記載の携帯用通信端末。
【請求項４】
操作キーと、各種情報を可視表示する表示手段と、着信があったことを点滅又は点灯によって知らせる着信通知手段と、着信があった際に、少なくとも相手の電話番号を記憶する記憶手段と、人体が近くに存在するか否かを検出する人感センサと、待ち受け状態にあるとき、前記人感センサにより前記人体が検出されたときの通常モードあるいは前記人体が検出されないときのユーザ不在モードで各部の動作を制御する制御手段とを有するとともに、バッテリにより駆動する携帯通信端末の省電力方法であって、
前記通常モードでは、少なくとも前記着信があると、前記記憶手段に、前記少なくとも相手の電話番号を記憶させるとともに、前記表示手段を駆動して着信有りや前記記憶手段に記憶された前記少なくとも相手の電話番号を表示させるように制御し、
前記ユーザ不在モードでは、少なくとも着信があると、前記記憶手段に、前記少なくとも相手の電話番号を記憶させるが、前記表示手段の駆動は行わないようにし、前記着信があった後に、前記人感センサにより前記人体が検出されると、前記着信通知手段のみを点滅又は点灯させて着信があったことを知らせ、前記操作キーの操作を受け付けてから前記表示手段を駆動させるとともに、前記着信通知手段の点滅又は点灯を停止させるように制御する
ことを特徴とする携帯通信端末の省電力方法。
【請求項５】
前記着信を振動によって知らせるバイブレータを有し、
前記通常モードでは、少なくとも前記着信があると、少なくとも前記表示手段及び前記バイブレータを駆動させるように制御し、
前記ユーザ不在モードでは、少なくとも前記着信があると、前記表示手段及び前記バイブレータを駆動させないようにし、前記着信があった後に、前記人感センサにより人体が検出されると、前記バイブレータを駆動可能となるように制御する
ことを特徴とする請求項４に記載の携帯用通信端末の省電力方法。
【請求項６】
前記着信を音で知らせる着信報知手段を有し、
前記通常モードでは、少なくとも前記着信があると、少なくとも前記表示手段及び前記着信報知手段を駆動させるように制御し、
前記ユーザ不在モードでは、少なくとも前記着信があると、前記表示手段及び前記着信報知手段を駆動させないようにし、前記着信があった後に、前記人感センサにより人体が検出されると、前記着信報知手段を駆動可能となるように制御する
ことを特徴とする請求項４又は６に記載の携帯用通信端末の省電力方法。
【発明の詳細な説明】
【技術分野】
【０００１】
本発明は、バッテリの電力消費の抑制が可能な携帯通信端末及びその省電力方法に関する。
【背景技術】
【０００２】
携帯電話等の携帯通信端末にあっては、たとえば５００回以上の充放電が可能なリチウムイオン電池等がバッテリとして内蔵されている。たとえば携帯電話にあっては、外出中での着信を確実に受けるようにするために、できるだけバッテリの電力の消費を抑える必要がある。
【０００３】
この場合、携帯電話では、省電力モードの設定機能等が設けられており、キー操作等が行われた後、所定時間（１５秒後や３０秒後等）が経過すると、ディスプレイの表示等を自動的にオフすることで、バッテリの電力の消費が抑えられるようになっている。
【０００４】
また、このような省電力モードでは、着信があると、その着信をユーザに知らせるために、呼び出し音が鳴るとともに、ディスプレイの表示が行われて相手の電話番号等が表示されるようになっている。
【０００５】
また、携帯電話がマナーモードに設定されている場合には、その着信をバイブレータの振動によって知らせるとともに、ディスプレイの表示が行われて相手の電話番号等が表示されるようになっている。
【０００６】
ところで、このような省電力モードでは、携帯電話の携帯時に着信がある場合に直ちにその着信に応答することで、バッテリの無駄な電力消費が極力抑えられる。
【０００７】
ところが、携帯電話がユーザから離れた場所にあって、ユーザが着信に気づかない場合、呼び出し音が鳴り続けることに併せてディスプレイの表示が行われるか、携帯電話がマナーモードに設定されている場合には、バイブレータが振動し続けることに併せてディスプレイの表示が行われるために、バッテリの電力消費が早められてしまうことがある。
【０００８】
また、このように携帯電話がユーザから離れた場所にあって、呼び出し音が鳴り続けたり、バイブレータが振動し続けた場合には、周囲の人に迷惑がかかる場合もある。
【０００９】
ちなみに、特許文献１では、受話部にユーザの近接を感知する受話部赤外線センサを設け、マイク部にユーザの近接を感知するマイク部赤外線センサを設け、マイク部の裏にユーザの近接を感知するマイク部裏赤外線センサを設け、これらの受話部赤外線センサとマイク部赤外線センサとマイク部裏赤外線センサとからのセンサ感知信号を受信したときに、電源制御部により液晶表示部のバックライトに対する電源供給を停止することで、バッテリの電力消費を抑えるようにした移動体通信装置を提案している。
【００１０】
また、特許文献２では、人体から放射される遠赤外線を赤外線センサによって検知し、周囲に人がいる場合には電力供給部から画像表示装置に電力を供給させ、周囲に人がいない場合には電力供給部から画像表示装置への電力供給を停止させて消費電力を節減するようにした画像表示装置の節電装置を提案している。
【特許文献１】特開２００３−３０９６４４号公報
【特許文献２】特開平１０−１８７１１６号公報
【発明の開示】
【発明が解決しようとする課題】
【００１１】
ところで、特許文献１に示された移動体通信装置では、受話部赤外線センサとマイク部赤外線センサとマイク部裏赤外線センサとからのセンサ感知信号を受信したときに、バックライトに対する電源供給を停止することで、バッテリの電力消費を抑えることが可能となる。
【００１２】
ところが、特許文献１では、通話中でのバッテリの電力消費の抑制に有効となるものであり、上述したように、携帯電話がユーザから離れた場所にあって、ユーザが着信に気づかない場合、呼び出し音が鳴り続けることに併せてディスプレイの表示が行われるか、携帯電話がマナーモードに設定されている場合には、バイブレータが振動し続けることに併せてディスプレイの表示が行われるために、バッテリの電力消費が早められてしまうことがある。
【００１３】
しかも、このように携帯電話がユーザから離れた場所にあって、呼び出し音が鳴り続けたり、バイブレータが振動し続けた場合には、上述したように、周囲の人に迷惑がかかる場合もある。
【００１４】
また、特許文献２に示された画像表示装置の節電装置では、人体から放射される遠赤外線を赤外線センサによって検知することで、周囲に人がいる場合には電力供給部から画像表示装置に電力を供給させ、周囲に人がいない場合には電力供給部からの電力供給を停止させて消費電力を節減することが可能である。
【００１５】
ところが、このような技術を上述した携帯電話に適用しようとすると、携帯時等においては、着信が無いにも関わらず、ディスプレイの表示等が行われることになり、バッテリの電力消費が早められてしまうことになる。
【００１６】
また、このような技術を上述した携帯電話に適用しようとすると、携帯電話がユーザから離れた場所にある場合には、電力供給部からの電力供給が停止されてしまい、着信を受けることができなくなってしまう。
【００１７】
解決しようとする問題点は、通話中でのバッテリの電力消費を抑えようとすると、携帯電話がユーザから離れた場所にあって、ユーザが着信に気づかない場合、呼び出し音が鳴り続けることに併せてディスプレイの表示が行われるか、携帯電話がマナーモードに設定されている場合には、バイブレータが振動し続けることに併せてディスプレイの表示が行われるために、バッテリの電力消費が早められてしまうばかりか、呼び出し音が鳴り続けたり、バイブレータが振動し続けた場合には、周囲の人に迷惑がかかる場合があるという点である。
【００１８】
また、人体から放射される遠赤外線を赤外線センサによって検知し、周囲に人がいる場合には電力供給部から画像表示装置に電力を供給させ、周囲に人がいない場合には電力供給部から画像表示装置への電力供給を停止させて消費電力を節減しようとする技術を携帯電話に適用した場合、携帯時等において着信が無いにも関わらず、ディスプレイの表示等が行われることになり、バッテリの電力消費が早められてしまうことになるばかりか、携帯電話がユーザから離れた場所にある場合には、電力供給部からの電力供給が停止されてしまい、着信を受けることができなくなってしまうという点である。
【課題を解決するための手段】
【００１９】
本発明の携帯通信端末は、バッテリにより駆動する携帯通信端末であって、操作キーと、各種情報を可視表示する表示手段と、着信があったことを点滅又は点灯によって知らせる着信通知手段と、着信があった際に、少なくとも相手の電話番号を記憶する記憶手段と、人体が近くに存在するか否かを検出する人感センサと、待ち受け状態にあるとき、前記人感センサにより前記人体が検出されたときの通常モードあるいは前記人体が検出されないときのユーザ不在モードで各部の動作を制御する制御手段とを備え、前記通常モードでは、少なくとも前記着信があると、前記記憶手段に、前記少なくとも相手の電話番号を記憶させるとともに、前記表示手段を駆動して着信有りや前記記憶手段に記憶された前記少なくとも相手の電話番号を表示させるように制御し、前記ユーザ不在モードでは、少なくとも着信があると、前記記憶手段に、前記少なくとも相手の電話番号を記憶させるが、前記表示手段の駆動は行わないようにし、前記着信があった後に、前記人感センサにより前記人体が検出されると、前記着信通知手段のみを点滅又は点灯させて着信があったことを知らせ、前記操作キーの操作を受け付けてから前記表示手段を駆動させるとともに、前記着信通知手段の点滅又は点灯を停止させるように制御することを特徴とする。
また、前記着信を振動によって知らせるバイブレータを備え、前記通常モードでは、少なくとも前記着信があると、少なくとも前記表示手段及び前記バイブレータを駆動させるように制御し、前記ユーザ不在モードでは、少なくとも前記着信があると、前記表示手段及び前記バイブレータを駆動させないようにし、前記着信があった後に、前記人感センサにより人体が検出されると、前記バイブレータを駆動可能となるように制御するようにすることができる。
また、前記着信を音で知らせる着信報知手段を備え、前記通常モードでは、少なくとも前記着信があると、少なくとも前記表示手段及び前記着信報知手段を駆動させるように制御し、前記ユーザ不在モードでは、少なくとも前記着信があると、前記表示手段及び前記着信報知手段を駆動させないようにし、前記着信があった後に、前記人感センサにより人体が検出されると、前記着信報知手段を駆動可能となるように制御するようにすることができる。
本発明の携帯通信端末の省電力方法は、操作キーと、各種情報を可視表示する表示手段と、着信があったことを点滅又は点灯によって知らせる着信通知手段と、着信があった際に、少なくとも相手の電話番号を記憶する記憶手段と、人体が近くに存在するか否かを検出する人感センサと、待ち受け状態にあるとき、前記人感センサにより前記人体が検出されたときの通常モードあるいは前記人体が検出されないときのユーザ不在モードで各部の動作を制御する制御手段とを有するとともに、バッテリにより駆動する携帯通信端末の省電力方法であって、前記通常モードでは、少なくとも前記着信があると、前記記憶手段に、前記少なくとも相手の電話番号を記憶させるとともに、前記表示手段を駆動して着信有りや前記記憶手段に記憶された前記少なくとも相手の電話番号を表示させるように制御し、前記ユーザ不在モードでは、少なくとも着信があると、前記記憶手段に、前記少なくとも相手の電話番号を記憶させるが、前記表示手段の駆動は行わないようにし、前記着信があった後に、前記人感センサにより前記人体が検出されると、前記着信通知手段のみを点滅又は点灯させて着信があったことを知らせ、前記操作キーの操作を受け付けてから前記表示手段を駆動させるとともに、前記着信通知手段の点滅又は点灯を停止させるように制御することを特徴とする。
また、前記着信を振動によって知らせるバイブレータを有し、前記通常モードでは、少なくとも前記着信があると、少なくとも前記表示手段及び前記バイブレータを駆動させるように制御し、前記ユーザ不在モードでは、少なくとも前記着信があると、前記表示手段及び前記バイブレータを駆動させないようにし、前記着信があった後に、前記人感センサにより人体が検出されると、前記バイブレータを駆動可能となるように制御するようにすることができる。
また、前記着信を音で知らせる着信報知手段を有し、前記通常モードでは、少なくとも前記着信があると、少なくとも前記表示手段及び前記着信報知手段を駆動させるように制御し、前記ユーザ不在モードでは、少なくとも前記着信があると、前記表示手段及び前記着信報知手段を駆動させないようにし、前記着信があった後に、前記人感センサにより人体が検出されると、前記着信報知手段を駆動可能となるように制御するようにすることができる。
本発明の携帯通信端末及びその省電力方法では、制御手段により、人感センサにより人体が検出されたときの通常モードあるいは人体が検出されないときのユーザ不在モードで各部の動作を制御するようにし、通常モードでは、少なくとも着信があると、記憶手段に、少なくとも相手の電話番号を記憶させるとともに、表示手段を駆動して着信有りや記憶手段に記憶された少なくとも相手の電話番号を表示させるように制御し、ユーザ不在モードでは、少なくとも着信があると、記憶手段に、少なくとも相手の電話番号を記憶させるが、表示手段の駆動は行わないようにし、着信があった後に、人感センサにより人体が検出されると、着信通知手段のみを点滅又は点灯させて着信があったことを知らせ、操作キーの操作を受け付けてから表示手段を駆動させるとともに、着信通知手段の点滅又は点灯を停止させるように制御することができる。
【発明の効果】
【００２０】
本発明によれば、制御手段により、人感センサによって人体が検出されたときの通常モードあるいは人体が検出されないときのユーザ不在モードで各部の動作を制御するようにし、通常モードでは、少なくとも着信があると、記憶手段に、少なくとも相手の電話番号を記憶させるとともに、表示手段を駆動して着信有りや記憶手段に記憶された少なくとも相手の電話番号を表示させるように制御し、ユーザ不在モードでは、少なくとも着信があると、記憶手段に、少なくとも相手の電話番号を記憶させるが、表示手段の駆動は行わないようにし、着信があった後に、人感センサにより人体が検出されると、着信通知手段のみを点滅又は点灯させて着信があったことを知らせ、操作キーの操作を受け付けてから表示手段を駆動させるとともに、着信通知手段の点滅又は点灯を停止させるように制御するようにしたので、人体が検出されないときのユーザ不在モードのとき、記憶手段に、少なくとも相手の電話番号を記憶させる動作のみが行われるため、着信を確実に受け付けることができるとともに、周囲の人に迷惑をかけることなくバッテリの電力消費を確実に抑制することができる。
【発明を実施するための最良の形態】
【００２１】
本実施形態では、制御手段により、人感センサによって人体が検出されたときの通常モードあるいは人体が検出されないときのユーザ不在モードで各部の動作を制御するようにし、通常モードでは、少なくとも着信があると、記憶手段に、少なくとも相手の電話番号を記憶させるとともに、表示手段を駆動して着信有りや記憶手段に記憶された少なくとも相手の電話番号を表示させるように制御し、ユーザ不在モードでは、少なくとも着信があると、記憶手段に、少なくとも相手の電話番号を記憶させるが、表示手段の駆動は行わないようにし、着信があった後に、人感センサにより人体が検出されると、着信通知手段のみを点滅又は点灯させて着信があったことを知らせ、操作キーの操作を受け付けてから表示手段を駆動させるとともに、着信通知手段の点滅又は点灯を停止させるように制御するようにし、人体が検出されないときのユーザ不在モードのとき、記憶手段に、少なくとも相手の電話番号を記憶させる動作のみが行われることで、着信を確実に受け付けることができるとともに、周囲の人に迷惑をかけることなくバッテリの電力消費を確実に抑制することができるようにした。
【実施例】
【００２２】
以下、本発明の詳細を図面に基づいて説明する。
（実施形態１）
図１は、本発明の携帯通信端末の実施形態１を説明するためのブロック図、図２は、図１の携帯通信端末の動作を説明するためのフローチャートである。
【００２３】
図１に示す携帯通信端末１Ａは、送受信部２、表示部３、着信通知ランプ４、メモリ５、バッテリ６、操作キー７、人感センサ８、制御部９、マイク１０、スピーカ１１を備えている。
【００２４】
送受信部２は、アンテナ２ａを介し、制御チャネルの電波を送受信して基地局と交信する。
【００２５】
表示手段としての表示部３は、各種情報を可視表示する。また、表示部３は、ＬＣＤ（Liquid Crystal Display）によって構成することができ、その場合、図示しないバックライトからの透過光により各種情報が可視表示される。また、バックライトとしては、細管蛍光灯やＬＥＤ（Light Emitting Diode）、無機又は有機のＥＬ（ElectroLuminescence）等を用いることができる。
【００２６】
着信通知手段としての着信通知ランプ４は、ＬＥＤ等の発光体で構成することができ、着信があったことを点滅又は点灯によって知らせる。
【００２７】
記憶手段としてのメモリ５は、少なくとも着信があった際に、相手の電話番号を記憶する。なお、図示しないアドレス帳に相手の電話番号に該当する氏名等が記録されている場合には、その氏名等も記憶する。
【００２８】
バッテリ６は、たとえば５００回以上の充放電が可能なリチウムイオン電池等によって構成することができる。操作キー７は、複数の数字キーや各種機能キー等から構成されている。
【００２９】
人感センサ８は、ユーザ（人体）が近くに存在するか否かを検出するものであり、ユーザ（人体）から放射される遠赤外線を検出する赤外線センサや超音波の反射によって検出する超音波センサ等で構成することができる。
【００３０】
制御手段としての制御部９は、携帯通信端末１Ａが待ち受け状態にあるとき、人感センサ８による検出結果に応じて、通常モードあるいはユーザ不在モードで各部の動作を制御するものである。
【００３１】
すなわち、通常モードでは、少なくとも着信があると、メモリ５に、少なくとも相手の電話番号を記憶させるとともに、図示しないアドレス帳に相手の電話番号に該当する氏名等が記録されている場合には、その氏名等も記憶させ、さらに、表示部３を駆動して着信有りやメモリ５に記憶された相手の電話番号、あるいは図示しないアドレス帳の相手の電話番号に該当する氏名等を併せて表示させるように制御する。
【００３２】
一方、ユーザ不在モードでは、少なくとも着信があると、上記同様に、メモリ５に、少なくとも相手の電話番号を記憶させるとともに、図示しないアドレス帳に相手の電話番号に該当する氏名等が記録されている場合には、その氏名等も記憶させるが、表示部３の駆動は行わない。
【００３３】
また、ユーザ不在モードでは、着信があった後に、人感センサ８によりユーザ（人体）が近くに存在することが検出されると、着信通知ランプ４のみを点滅又は点灯させて着信があったことを知らせ、ユーザによって操作キー７の操作を受け付けてから表示部３を駆動させるとともに、着信通知ランプ４の点滅又は点灯を停止させる。なお、制御部９による制御の詳細については、後述する。
【００３４】
マイク１０は、通話の際にユーザの音声を取り込むものであり、スピーカ１１は相手の声を出力するものである。
【００３５】
次に、携帯通信端末１Ａの動作について説明する。
【００３６】
まず、図２に示すように、携帯通信端末１Ａが待ち受け状態にあるとき（ステップＳ１）、人感センサ８によってユーザ（人体）が近くに存在するか否かが検出され（ステップＳ２）、ユーザ（人体）が近くに存在することが検出されると、制御部９により通常モードで各部が制御される（ステップＳ３）。
【００３７】
つまり、その通常モードで着信があると（ステップＳ４）、制御部９による制御により、メモリ５に、少なくとも相手の電話番号が記憶される（ステップＳ５）。なお、図示しないアドレス帳に相手の電話番号に該当する氏名等が記録されている場合には、その氏名等も記憶される。
【００３８】
また、制御部９による制御により、表示部３が駆動され（ステップＳ６）、着信有りが表示されるとともに、メモリ５に記憶された相手の電話番号、あるいは図示しないアドレス帳の相手の電話番号に該当する氏名等が併せて表示される。
【００３９】
これにより、ユーザ（人体）が近くに存在する場合（携帯時を含む）には、表示部３に表示される着信有りによって着信を確認することができる。また、表示部３に表示される相手の電話番号、あるいは図示しないアドレス帳の相手の電話番号に該当する氏名等により発信者を確認することができる。
【００４０】
一方、人感センサ８によってユーザ（人体）が近くに存在しないことが検出された場合、制御部９によりユーザ不在モードで各部が制御される（ステップＳ７）。
【００４１】
つまり、そのユーザ不在モードで着信があると（ステップＳ８）、制御部９による制御により、上記同様に、メモリ５に、少なくとも相手の電話番号が記憶されるとともに、図示しないアドレス帳に相手の電話番号に該当する氏名等が記録されている場合には、その氏名等も記憶される（ステップＳ９）。
【００４２】
この場合、制御部９による制御により、表示部３の駆動が行われず、少なくとも電話機能に関わる送受信部２とメモリ５のみが駆動される。この状態で、人感センサ８によりユーザ（人体）が近くに存在することが検出されると（ステップＳ１０）、制御部９の制御により、着信通知ランプ４のみが点滅又は点灯し（ステップＳ１１）、着信があったことを知らせる。
【００４３】
このとき、ユーザによってたとえば操作キー７のうち、複数の数字キーや各種機能キー等のいずれかが操作されると（ステップＳ１２）、制御部９による制御により、表示部３が駆動され（ステップＳ１３）、着信有りを表示させるとともに、メモリ５に記憶された相手の電話番号、あるいは図示しないアドレス帳の相手の電話番号に該当する氏名等を併せて表示させる。またこのとき、着信通知ランプ４の点滅又は点灯が停止される（ステップＳ１４）。
【００４４】
これにより、ユーザが表示部３に表示される着信有りによって着信を確認することができるとともに、表示部３に表示される相手の電話番号、あるいは図示しないアドレス帳の相手の電話番号に該当する氏名等により発信者を確認することができる。
【００４５】
このように、実施形態１では、制御部９により、人感センサ８によって人体が検出されたときの通常モードあるいは人体が検出されないときのユーザ不在モードで各部の動作を制御するようにし、通常モードでは、少なくとも着信があると、メモリ５に、少なくとも相手の電話番号を記憶させるとともに、表示部３を駆動して着信有りやメモリ５に記憶された少なくとも相手の電話番号を表示させるように制御し、ユーザ不在モードでは、少なくとも着信があると、メモリ５に、少なくとも相手の電話番号を記憶させるが、表示部３の駆動は行わないようにし、着信があった後に、人感センサ８により人体が検出されると、着信通知ランプ４のみを点滅又は点灯させて着信があったことを知らせ、操作キー７の操作を受け付けてから表示部３を駆動させるとともに、着信通知ランプ４の点滅又は点灯を停止させるように制御するようにしたので、人体が検出されないときのユーザ不在モードのとき、メモリ５に、少なくとも相手の電話番号を記憶させる動作のみが行われるため、着信を確実に受け付けることができるとともに、周囲の人に迷惑をかけることなくバッテリ６の電力消費を確実に抑制することができる。
【００４６】
つまり、制御部９によりユーザ不在モードで各部が制御されるときに着信があると、メモリ５に相手の電話番号、あるいは図示しないアドレス帳の相手の電話番号に該当する氏名等が記憶されるようにしたので、この場合の電力消費を少なくともメモリ５と送受信部２に限定することができる。
【００４７】
また、ユーザ不在モードで着信があった後に、人感センサ８によりユーザ（人体）が近くに存在することが検出されると、制御部９の制御により、表示部３の駆動を行わせずに、着信通知ランプ４の点滅又は点灯により、着信があったことを知らせるようにしたので、この場合の電力消費を少なくとも着信通知ランプ４、メモリ５、送受信部２に限定することができる。
【００４８】
また、ユーザ不在モードで着信があった後に、人感センサ８によりユーザ（人体）が近くに存在することが検出され、さらにユーザによってたとえば操作キー７のうち、複数の数字キーや各種機能キー等のいずれかが操作されると、制御部９による制御により、表示部３が駆動され、着信有りや、メモリ５に記憶された相手の電話番号、あるいは図示しないアドレス帳の相手の電話番号に該当する氏名等が併せて表示されるので、着信履歴等の情報の確認が確実となる。
【００４９】
また、人感センサ８によってユーザ（人体）が近くに存在しないことが検出された場合、表示部３の駆動が行われないようにしたので、表示部３を駆動させない時間が増えることにより、表示部３の寿命を延ばすことができる。
【００５０】
（実施形態２）
図３は、図１の携帯通信端末の構成を変えた場合の実施形態２を説明するためのブロック図、図４は、図３の携帯通信端末の動作を説明するためのフローチャートである。なお、以下に説明する図において、図１及び図２と共通する部分には同一符号を付し重複する説明を適宜行うものとする。
【００５１】
図３に示す携帯通信端末１Ｂは、図１の携帯通信端末１Ａにバイブレータ１２が追加された構成となっている。このバイブレータ１２は、着信を振動によって知らせるものである。なお、このバイブレータ１２は、着信があったときに駆動させるか否かはユーザによる設定によって切り換えることができるものである。
【００５２】
また、図３に示す実施形態２での制御部９は、携帯通信端末１Ｂが待ち受け状態にあるとき、人感センサ８による検出結果に応じて、通常モードあるいはユーザ不在モードで各部の動作を制御する。
【００５３】
すなわち、通常モードでは、上記同様に、少なくとも着信があると、メモリ５に、少なくとも相手の電話番号を記憶させるとともに、図示しないアドレス帳に相手の電話番号に該当する氏名等が記録されている場合には、その氏名等も記憶させ、さらに、表示部３を駆動して着信有りやメモリ５に記憶された相手の電話番号、あるいは図示しないアドレス帳の相手の電話番号に該当する氏名等を併せて表示させるように制御する。また、バイブレータ１２が駆動するように設定されている場合には、バイブレータ１２を駆動させて着信を知らせる。
【００５４】
一方、ユーザ不在モードでは、少なくとも着信があると、上記同様に、メモリ５に、少なくとも相手の電話番号を記憶させるとともに、図示しないアドレス帳に相手の電話番号に該当する氏名等が記録されている場合には、その氏名等も記憶させるが、表示部３及びバイブレータ１２の駆動は行わない。
【００５５】
また、ユーザ不在モードでは、着信があった後に、人感センサ８によりユーザ（人体）が近くに存在することが検出されると、上記同様に、着信通知ランプ４のみを点滅又は点灯させて着信があったことを知らせ、ユーザによって操作キー７の操作を受け付けてから表示部３を駆動させるとともに、着信通知ランプ４の点滅又は点灯を停止させる。このとき、バイブレータ１２は、駆動可能状態にされる。なお、実施形態２での制御部９による制御の詳細については、後述する。
【００５６】
次に、携帯通信端末１Ｂの動作について説明する。なお、以下の説明では、バイブレータ１２が通常モードで着信があると、駆動するように設定されているものとする。
【００５７】
まず、図４に示すように、携帯通信端末１Ｂが待ち受け状態にあるとき（ステップＳ１）、人感センサ８によってユーザ（人体）が近くに存在するか否かが検出され（ステップＳ２）、ユーザ（人体）が近くに存在することが検出されると、上記同様に、制御部９により通常モードで各部が制御される（ステップＳ３）。
【００５８】
また、その通常モードで着信があると（ステップＳ４）、上記同様に、メモリ５に、少なくとも相手の電話番号が記憶されるとともに、図示しないアドレス帳に相手の電話番号に該当する氏名等が記録されている場合には、その氏名等も記憶される（ステップＳ５）。このとき、制御部９による制御により、バイブレータ１２が駆動し（ステップＳ１５）、着信を知らせる。
【００５９】
また、上記同様に、制御部９による制御により、表示部３が駆動され（ステップＳ６）、着信有りが表示されるとともに、メモリ５に記憶された相手の電話番号、あるいは図示しないアドレス帳の相手の電話番号に該当する氏名等も併せて表示される。
【００６０】
これにより、ユーザ（人体）が近くに存在する場合には、バイブレータ１２の振動とともに、表示部３に表示される着信有りによって着信を確認することができ、併せて表示部３に表示される相手の電話番号、あるいは図示しないアドレス帳の相手の電話番号に該当する氏名等により発信者を確認することができる。
【００６１】
一方、人感センサ８によってユーザ（人体）が近くに存在しないことが検出された場合、制御部９によりユーザ不在モードで各部が制御される（ステップＳ７）。
【００６２】
つまり、そのユーザ不在モードで着信があると（ステップＳ８）、上記同様に、制御部９による制御により、メモリ５に、少なくとも相手の電話番号が記憶されるとともに、図示しないアドレス帳に相手の電話番号に該当する氏名等が記録されている場合には、その氏名等も記憶される（ステップＳ９）。
【００６３】
この場合、制御部９による制御により、バイブレータ１２及び表示部３の駆動が行われない。この状態で、人感センサ８によりユーザ（人体）が近くに存在することが検出されると（ステップＳ１０）、上記同様に、制御部９の制御により、着信通知ランプ４のみが点滅又は点灯し（ステップＳ１１）、着信があったことを知らせる。
【００６４】
このとき、上記同様に、ユーザによってたとえば操作キー７のうち、複数の数字キーや各種機能キー等のいずれかが操作されると（ステップＳ１２）、制御部９による制御により、表示部３が駆動され（ステップＳ１３）、着信有りが表示されるとともに、メモリ５に記憶された相手の電話番号、あるいは図示しないアドレス帳の相手の電話番号に該当する氏名等を併せて表示される。またこのとき、上記同様に、着信通知ランプ４の点滅又は点灯が停止される（ステップＳ１４）。
【００６５】
これにより、上記同様に、ユーザが表示部３に表示される着信有りによって着信を確認することができるとともに、表示部３に表示される相手の電話番号、あるいは図示しないアドレス帳の相手の電話番号に該当する氏名等により発信者を確認することができる。
【００６６】
このように、実施形態２では、実施形態１での作用効果に加え、人感センサ８によってユーザ（人体）が近くに存在しないことが検出された場合、少なくとも表示部３及びバイブレータ１２の駆動が行われないようにしたので、バッテリ６の電力消費を抑えることが可能となる。
【００６７】
また、人感センサ８によってユーザ（人体）が近くに存在しないことが検出された場合、着信があってもバイブレータ１２の駆動が行われないようにしたので、バイブレータ１２の振動による振動音が発生せず、周囲の人に迷惑をかけることが無くなる。
【００６８】
また、人感センサ８によってユーザ（人体）が近くに存在しないことが検出された場合、バイブレータ１２の駆動が行われないようにしたので、バイブレータ１２を駆動させない時間が増えることにより、バイブレータ１２の寿命を延ばすことができる。
（実施形態３）
図５は、図３の携帯通信端末の構成を変えた場合の実施形態３を説明するためのブロック図、図６は、図５の携帯通信端末の動作を説明するためのフローチャートである。
【００６９】
図５に示す携帯通信端末１Ｃは、図３の携帯通信端末１Ｂに着信報知手段としての着信報知スピーカ１３が追加された構成となっている。着信報知スピーカ１３は、着信があると、電子音、メロディー、音声等によってその着信を知らせる。なお、この着信報知スピーカ１３は、着信があったときに駆動させるか否かはユーザによる設定によって切り換えることができるものである。
【００７０】
また、図５に示す実施形態３での制御部９は、携帯通信端末１Ｃが待ち受け状態にあるとき、人感センサ８による検出結果に応じて、通常モードあるいはユーザ不在モードで各部の動作を制御する。
【００７１】
すなわち、通常モードでは、上記同様に、少なくとも着信があると、メモリ５に、少なくとも相手の電話番号を記憶させるとともに、図示しないアドレス帳に相手の電話番号に該当する氏名等が記録されている場合には、その氏名等も記憶させ、さらに、表示部３を駆動して着信有りやメモリ５に記憶された相手の電話番号、あるいは図示しないアドレス帳の相手の電話番号に該当する氏名等を併せて表示させるように制御する。また、着信報知スピーカ１３が駆動されるように設定されている場合には、着信報知スピーカ１３を駆動させて着信を知らせる。
【００７２】
一方、ユーザ不在モードでは、少なくとも着信があると、上記同様に、メモリ５に、少なくとも相手の電話番号を記憶させるとともに、図示しないアドレス帳に相手の電話番号に該当する氏名等が記録されている場合には、その氏名等も記憶させるが、表示部３及び着信報知スピーカ１３の駆動は行わない。
【００７３】
また、ユーザ不在モードでは、着信があった後に、人感センサ８によりユーザ（人体）が近くに存在することが検出されると、上記同様に、着信通知ランプ４のみを点滅又は点灯させて着信があったことを知らせ、ユーザによって操作キー７の操作を受け付けてから表示部３を駆動させるとともに、着信通知ランプ４の点滅又は点灯を停止させる。また、着信報知スピーカ１３を駆動可能状態にする。なお、実施形態３での制御部９による制御の詳細については、後述する。
【００７４】
次に、携帯通信端末１Ｃの動作について説明する。なお、以下の説明では、通常の待ち受けモードで着信があると、着信報知スピーカ１３が駆動し、バイブレータ１２は駆動しないように設定されているものとする。
【００７５】
まず、図６に示すように、携帯通信端末１Ｃが待ち受け状態にあるとき（ステップＳ１）、人感センサ８によってユーザ（人体）が近くに存在するか否かが検出され（ステップＳ２）、ユーザ（人体）が近くに存在することが検出されると、制御部９により通常モードで各部が制御される（ステップＳ３）。
【００７６】
つまり、その通常モードで着信があると（ステップＳ４）、制御部９による制御により、上記同様に、メモリ５に、少なくとも相手の電話番号が記憶されるとともに、図示しないアドレス帳に相手の電話番号に該当する氏名等が記録されている場合には、その氏名等も記憶される（ステップＳ５）。このとき、制御部９による制御により、着信報知スピーカ１３が駆動され（ステップＳ１６）、電子音、メロディー、音声等によってその着信を知らせる。
【００７７】
また、制御部９による制御により、上記同様に、表示部３が駆動され（ステップＳ６）、着信有りが表示されるとともに、メモリ５に記憶された相手の電話番号、あるいは図示しないアドレス帳の相手の電話番号に該当する氏名等も併せて表示される。
【００７８】
これにより、ユーザ（人体）が近くに存在する場合には、バイブレータ１２の振動とともに、表示部３に表示される着信有りによって着信を確認することができ、さらには、表示部３に表示される相手の電話番号、あるいは図示しないアドレス帳の相手の電話番号に該当する氏名等により発信者を確認することができる。
【００７９】
一方、人感センサ８によってユーザ（人体）が近くに存在しないことが検出された場合、制御部９によりユーザ不在モードで各部が制御される（ステップＳ７）。
【００８０】
つまり、そのユーザ不在モードで着信があると（ステップＳ８）、制御部９による制御により、上記同様に、メモリ５に、少なくとも相手の電話番号が記憶されるとともに、図示しないアドレス帳に相手の電話番号に該当する氏名等が記録されている場合には、その氏名等も記憶される（ステップＳ９）。
【００８１】
また、制御部９による制御により、着信があっても、着信報知スピーカ１３及び表示部３の駆動が行われない。この状態で、人感センサ８によりユーザ（人体）が近くに存在することが検出されると（ステップＳ１０）、制御部９の制御により、着信通知ランプ４のみが点滅又は点灯し（ステップＳ１１）、着信があったことを知らせる。
【００８２】
このとき、上記同様に、ユーザによってたとえば操作キー７のうち、複数の数字キーや各種機能キー等のいずれかが操作されると（ステップＳ１２）、制御部９による制御により、表示部３が駆動され（ステップＳ１３）、着信有りが表示されるとともに、メモリ５に記憶された相手の電話番号、あるいは図示しないアドレス帳の相手の電話番号に該当する氏名等も併せて表示される。またこのとき、上記同様に、着信通知ランプ４の点滅又は点灯が停止される（ステップＳ１４）。
【００８３】
これにより、ユーザが表示部３に表示される着信有りによって着信を確認することができるとともに、表示部３に表示される相手の電話番号、あるいは図示しないアドレス帳の相手の電話番号に該当する氏名等により発信者を確認することができる。
【００８４】
このように、実施形態３では、実施形態１及び実施形態２での作用効果に加え、人感センサ８によってユーザ（人体）が近くに存在しないことが検出された場合、少なくとも表示部３及び着信報知スピーカ１３の駆動が行われないようにしたので、バッテリ６の電力消費を抑えることが可能となる。
【００８５】
また、人感センサ８によってユーザ（人体）が近くに存在しないことが検出された場合、着信があっても着信報知スピーカ１３の駆動が行われないようにしたので、着信報知スピーカ１３からの着信音が発生せず、周囲の人に迷惑をかけることが無くなる。
【００８６】
また、人感センサ８によってユーザ（人体）が近くに存在しないことが検出された場合、着信報知スピーカ１３の駆動が行われないようにしたので、着信報知スピーカ１３を駆動させない時間が増えることにより、着信報知スピーカ１３の寿命を延ばすことができる。
【産業上の利用可能性】
【００８７】
携帯電話、ＰＨＳ、ＰＤＡ等の携帯通信端末に適用できる。
【図面の簡単な説明】
【００８８】
【図１】本発明の携帯通信端末の実施形態１を説明するためのブロック図である。
【図２】図１の携帯通信端末の動作を説明するためのフローチャートである。
【図３】図１の携帯通信端末の構成を変えた場合の実施形態２を説明するためのブロック図である。
【図４】図３の携帯通信端末の動作を説明するためのフローチャートである。
【図５】図３の携帯通信端末の構成を変えた場合の実施形態３を説明するためのブロック図である。
【図６】図５の携帯通信端末の動作を説明するためのフローチャートである。
【符号の説明】
【００８９】
１Ａ  携帯通信端末
１Ｂ  携帯通信端末
１Ｃ  携帯通信端末
２  送受信部
３  表示部
４  着信通知ランプ
５  メモリ
６  バッテリ
７  操作キー
８  人感センサ
９  制御部
１０  マイク
１１  スピーカ
１２  バイブレータ
１３  着信報知スピーカ
【図１】
2006217487.tif 000003
【図２】
2006217487.tif 000004
【図３】
2006217487.tif 000005
【図４】
2006217487.tif 000006
【図５】
2006217487.tif 000007
【図６】
2006217487.tif 000008